(57)【特許請求の範囲】
【請求項１】
ハンガーレール（１０）に案内されてハンガーレール（１０）内を移動可能なランナー（１２）にパネル（１６）を連結する移動間仕切壁のランナー取付構造であって、吊りボルト（１８）の上端（１８ａ）がランナー（１２）に支持されて、下方へ垂下された吊りボルト（１８）の下端（１８ｂ）が受け金具（２２）にねじ込まれ、吊りボルト（１８）に取り付けられた吊りボルト用ナット（３８）が受け金具（２２）に押し付けられると共に、吊りボルト（１８）と平行に配置された固定ボルト（３０）によって受け金具（２２）をパネル（１６）に対してパネル（１６）の横方向に位置調整可能に固定する移動間仕切壁のランナー取付構造において、
前記吊りボルト用ナット（３８）と固定ボルト（３０）との間に渡って、該吊りボルト用ナット（３８）の回転を阻止する緩み止め手段（４０）を設けることを特徴とする移動間仕切壁のランナー取付構造。
【請求項２】
前記緩み止め手段（４０）は、固定ボルト（３０）の位置に位置決めされる位置決め部（４０ａ）と、吊りボルト用ナット（３８）に係合する規制部（４０ｂ）とを有することを特徴とする請求項１記載の移動間仕切壁のランナー取付構造。
【請求項３】
前記位置決め部（４０ａ）と規制部（４０ｂ）の少なくとも一方は、固定ボルト（３０）と吊りボルト用ナット（３８）とを結ぶ方向に遊びを有することを特徴とする請求項２記載の移動間仕切壁のランナー取付構造。
【請求項４】
前記緩み止め手段（４０）は、前記位置決め部（４０ａ）が形成される第１プレート（４２）と、前記規制部（４０ｂ）が形成される第２プレート（４４）と、からなり、第１プレート（４２）と第２プレート（４４）とは、互いにプレート面内で回動可能に連結されることを特徴とする請求項２記載の移動間仕切壁のランナー取付構造。
【請求項５】
ハンガーレール（１０）に案内されて移動可能なランナー（１２）に吊りボルト（１８）の上端（１８ａ）が支持され、下方へ垂下される吊りボルト（１８）の下端（１８ｂ）が受け金具（２２）にねじ込まれ、吊りボルト（１８）に取り付けられた吊りボルト用ナット（３８）が受け金具（２２）に押し付けられ、吊りボルト（１８）と平行に配置された固定ボルト（３０）によって受け金具（２２）をパネル（１６）に対してパネル（１６）の横方向に位置調整可能に固定する移動間仕切壁のランナー取付構造用の緩み止めプレートであって、
固定ボルト（３０）の位置に位置決めされる位置決め部（４０ａ）と、吊りボルト用ナット（３８）に係合する規制部（４０ｂ）とを有し、固定ボルト（３０）と吊りボルト用ナット（３８）との間に渡って配設可能とした緩み止めプレート。
【発明の詳細な説明】
【０００１】
【発明の属する技術分野】
本発明は、ハンガーレールに案内されて移動可能なランナーにパネルを連結する移動間仕切壁のランナー取付構造に関する。
【０００２】
【従来の技術】
従来、この種の移動間仕切壁のランナー取付構造としては、ランナーに支持される吊りボルトが、パネルに固定された受け金具に螺合されて、吊りボルトに取り付けられた吊りボルト用ナットを締め付けることによって、ランナーとパネルとの連結状態が保持されるようになっている。
【０００３】
【発明が解決しようとする課題】
しかしながら、かかる従来のランナー、特に２層水平車輪型式のランナーでは、ハンガーレールに沿って走行する際に、そのローラ（車輪）が、吊りボルトの軸方向を中心として回転すると、吊りボルト用ナットの締め付けが弱い場合に、そのローラの回転と共に吊りボルトが回転してしまうことがある。こうして、吊りボルトが回転すると、吊りボルトの受け金具へのねじ込みが緩み、最終的には、ランナーとパネルとの連結が外れる虞がある。特に、上記型式のランナーは構造上、上下に大きく、上部車輪の上面とハンガーレールの上壁面までの距離を大きくとることができない。従って、施工時に吊りボルトをパネルの受け金具にねじ込む際、一旦、吊りボルトを持ち上げるための移動距離が少なくなり、結果として吊りボルトを受け金具にねじ込むための長さを大きくできない。このように、吊りボルトの受け金具へのねじ込み長さが短いと、連結が外れる虞が高くなる。吊りボルトの受け金具へのねじ込み長さを長くして、連結が外れ難くすることも考えられるが、前述のように既存の構造に対してこのような変更を施すことは容易ではなく、天井裏のスペースの制約もあって、多大なコストがかかるという問題がある。また、そのような変更を行ったとしても、吊りボルトと受け金具との締め付けが緩むのは回避することができず、根本的な解決となっていない。
【０００４】
本発明はかかる従来の課題に鑑みなされたもので、その目的は、簡単な構成で、ランナーとパネルとの連結が不用意に外れることのない移動間仕切壁のランナー取付構造を提供することである。
【０００５】
【課題を解決するための手段】
前述した目的を達成するために、本発明のうち請求項１記載の発明は、ハンガーレールに案内されてハンガーレール内を移動可能なランナーにパネルを連結する移動間仕切壁のランナー取付構造であって、吊りボルトの上端がランナーに支持されて、下方へ垂下された吊りボルトの下端が受け金具にねじ込まれ、吊りボルトに取り付けられた吊りボルト用ナットが受け金具に押し付けられると共に、吊りボルトと平行に配置された固定ボルトによって受け金具をパネルに対してパネルの横方向に位置調整可能に固定する移動間仕切壁のランナー取付構造において、
前記吊りボルト用ナットと固定ボルトとの間に渡って、該吊りボルト用ナットの回転を阻止する緩み止め手段を設けることを特徴とする。
【０００６】
吊りボルト用ナットと固定ボルトとの間に渡って緩み止め手段を設けることで、吊りボルト用ナットの回転を阻止し、よって、吊りボルトの回転を阻止して、吊りボルトと受け金具との連結が外れることを防止することができる。吊りボルト用ナットと固定ボルトとからなる既存の構造に、緩み止め手段を渡すだけでよいために、構成が簡単であり、設定作業が容易にでき、コスト的にも優位に実施することができる。
【０００７】
請求項２記載の発明は、請求項１記載のものにおいて、前記緩み止め手段は、固定ボルトの位置に位置決めされる位置決め部と、吊りボルト用ナットに係合する規制部とを有することを特徴とする。緩み止め手段は、位置決め部と規制部との２点において、位置が規制されるために、緩み止め手段自身の回転が阻止される。結果として、規制部に係合される吊りボルト用ナットの回転が阻止されることとなる。
【０００８】
請求項３記載の発明は、請求項２記載のものにおいて、前記位置決め部と規制部の少なくとも一方は、固定ボルトと吊りボルト用ナットとを結ぶ方向に遊びを有することを特徴とする。この遊びにより、固定ボルトと吊りボルト用ナットの間隔が、受け金具の種類によって様々に変化したとしても、その遊びで間隔の変化を吸収することができる。例えば、位置決め部及び規制部を孔で構成する場合には、少なくとも一方を、固定ボルトと吊りボルト用ナットとを結ぶ方向に伸びる長孔とすることで対応することができる。
【０００９】
請求項４記載の発明は、請求項２記載のものにおいて、前記緩み止め手段は、前記位置決め部が形成される第１プレートと、前記規制部が形成される第２プレートと、からなり、第１プレートと第２プレートとは、互いにプレート面内で回動可能に連結されることを特徴とする。吊りボルト用ナットの角度を締付けた状態で、受け金具に対するナットの角度位置が様々に変化したとしても、第１プレートと第２プレートとが回動することで、吊りボルト用ナットの角度がずれていたとしても、第２プレートの規制部が確実に吊りボルト用ナットに係合することができる。第１プレートと第２プレートとの回動点は、固定点とすることもできるが、面プレート内で移動可能とすることもできる。即ち、第１プレートと第２プレートとは互いにプレート面内で回動可能且つ並進可能に連結することもできる。この際に、第１プレートと第２プレートとの回動点は、吊りボルト用ナットの回転中心、即ち吊りボルトの軸線を中心として、円弧状に沿って移動可能とすることができ、さらには、半径の異なる円弧状のいずれかに沿って移動可能とすることもできる。
【００１０】
請求項５記載の発明は、ハンガーレールに案内されて移動可能なランナーに吊りボルトの上端が支持され、下方へ垂下される吊りボルトの下端が受け金具にねじ込まれ、吊りボルトに取り付けられた吊りボルト用ナットが受け金具に押し付けられ、吊りボルトと平行に配置された固定ボルトによって受け金具をパネルに対してパネルの横方向に位置調整可能に固定する移動間仕切壁のランナー取付構造用の緩み止めプレートであって、
固定ボルトの位置に位置決めされる位置決め部と、吊りボルト用ナットに係合する規制部とを有し、固定ボルトと吊りボルト用ナットとの間に渡って配設可能としたことを特徴とする。非常に簡単な構成からなる緩み止めプレートで、吊りボルトの回転を阻止して、吊りボルトと受け金具との連結が外れることを防止することができる。既存の固定ボルトと吊りボルト用ナットを有するランナー取付構造に対して、簡単に緩み止めプレートを設定することができる。
【００１１】
【発明の実施の形態】
以下、図面を用いて本発明の実施の形態を説明する。図１ないし図３は、本発明に係る移動間仕切壁のランナー取付構造の第１実施形態を表す図である。
【００１２】
天井などに固定されるハンガーレール１０内には、パネル１６に連結されたランナー１２がハンガーレール１０に案内されて移動可能に配設される。パネル１６とランナー１２とは、吊りボルト１８と受け金具２２によって連結される。即ち、ランナー１２には、吊りボルト１８の上端１８ａがねじ込まれて支持されており、下方へと垂下された吊りボルト１８の下端１８ｂが、パネル１６に固定された受け金具２２にねじ込まれる。
【００１３】
受け金具２２は、図５に示したように、詳細には、下側プレート２４と、上側プレート２６と、下側プレート２４と上側プレート２６とのそれぞれの一端部に形成された貫通孔２４ａと貫通孔２６ａを通過する吊りボルト受け２８と、を有している。
【００１４】
上側プレート２６には、貫通孔２６ａとは別に他端部に貫通孔２６ｂが形成されており、下側プレート２４には、貫通孔２４ａとは別に他端部にネジ孔２４ｂが形成されている。これらの貫通孔２６ｂ及びネジ孔２４ｂは、固定ボルト３０の先端部がそれぞれ挿通及び螺合するために設けられる。固定ボルト３０の頭部３０ａと上側プレート２６との間には、ボルトカラー３２及びばね座金３４が介挿される。
【００１５】
受け金具２２の下側プレート２４は、パネル１６の上端部に設けられた上チャネル２０の受面２０ａの下側に配設され、上側プレート２６は、上チャネル２０の受面２０ａの上側に配設される。パネル１６の上チャネル２０の受面２０ａには、パネル１６の幅方向に案内溝２０ｂが形成されている。前記固定ボルト３０の先端部を、上側プレート２６の貫通孔２６ｂ及び受面２０ａの案内溝２０ｂに通過させて、下側プレート２４のネジ孔２４ｂにねじ込んで、ボルトカラー３２及びばね座金３４を介して上側プレート２６を下側プレート２４の方へ押し付けると、上側プレート２６と下側プレート２４とで上チャネル２０の受面２０ａを挟み付けて、受け金具２２が上チャネル２０に固定される。また、固定ボルト３０を緩めて、上側プレート２６及び下側プレート２４の挟み付けを解除し、これらを上チャネル２０の受面２０ａの案内溝２０ｂに沿ってスライド移動させることで、パネル１６の幅方向に対する受け金具２２の位置を調整することができ、適正な位置において、固定ボルト３０を下側プレート２４のネジ孔２４ｂに完全にねじ込むことで、受け金具２２をパネル１６に対して固定することができる。このように受け金具２２の位置をパネル１６の幅方向で調整することにより、パネル１６に連結されるランナー１２の位置を調整することができ、特に複数のランナー１２同士の間隔を調整することができるようになっている。
【００１６】
前記固定ボルト３０と平行に設けられる受け金具２２の吊りボルト受け２８は、その頭部２８ａが下側プレート２４の下面に当接し、その本体部２８ｂが下側プレート２４の貫通孔２４ａ及び前記案内溝２０ｂを通過し、さらに上側プレート２６の貫通孔２６ａを通過して、上方へと延びている。この吊りボルト受け２８の本体部２８ｂの内部は、前記吊りボルト１８の下端１８ｂのネジ部と螺合するネジ孔となっている。前記吊りボルト１８の下端１８ｂのネジ部が、受け金具２２の吊りボルト受け２８の本体部２８ｂのネジ孔にねじ込まれ、吊りボルト１８に一体的に取り付けられた吊りボルト用ナット３８が、座金３９を介して、ボルト受け２８の本体部２８ｂの先端に当接するまで、ねじ込まれると、吊りボルト１８が受け金具２２に確実に連結される。
【００１７】
この吊りボルト用ナット３８及び固定ボルト３０の頭部３０ａは、パネル１６の上方からこれらを操作可能なるように、パネル１６の上部にあり、ほぼ同じ高さで配置されており、これらの間に渡って緩み止めプレート４０が配設されている。緩み止めプレート４０は、その一端部に、固定ボルト３０の頭部３０ａが収まる円形の位置決め孔４０ａが形成され、その他端部に、吊りボルト用ナット３８の回転を規制するべく規制部としての規制切欠４０ｂが形成され、中央部には中央孔４０ｄが形成されている。位置決め孔４０ａは、固定ボルト３０の頭部３０ａが完全に収まるように、その六角形の頭部３０ａの外接円程度の大きさとなっている。規制切欠４０ｂの切欠側面には、その吊りボルト用ナット３８の六角形の輪郭に一致する複数の規制面４０ｃが形成され、複数の規制面４０ｃは、吊りボルト用ナット３８の一部の周面に当接しており、これにより規制切欠４０ｂが吊りボルト用ナット３８に係合する。また、中央孔４０ｄには、針金４３等が通されており、この針金４３はボルトカラー３２の周囲に巻付いて、緩み止めプレート４０の浮き上がりを防止している。但し、この針金４３は他のものに代用することができ、また、省略することも可能である。
【００１８】
この緩み止めプレート４０は、位置決め孔４０ａと規制切欠４０ｂとによって、その両端部の位置が拘束されるために、回転運動ができないようになっており、従って、その規制面４０ｃ、４０ｃ、…に当接する吊りボルト用ナット３８自体の回転（自転）も阻止される。
【００１９】
以上の移動間仕切壁のランナー取付構造においては、ランナー１２がハンガーレール１０に案内されて走行中に、吊りボルト１８を自転させるような力が作用したとしても、緩み止めプレート４０によって吊りボルト用ナット３８の回転が阻止されるため、吊りボルト用ナット３８が緩むことがなく、従って、吊りボルト１８と吊りボルト受け２８との連結が外れることを防ぐことができる。固定ボルト３０の頭部３０ａと、吊りボルト用ナット３８とが、ほぼ同じ高さで平行に配置されており、これらを利用して緩み止めプレート４０を回転運動ができないように配設することができる。緩み止めプレート４０は、固定ボルト３０及び吊りボルト用ナット３８の上から被せ、必要に応じて針金４３でボルトカラー３２に巻付けるだけで良いので、簡単に設定することができる。
【００２０】
図６は、本発明の緩み止めプレート４０−１の変形例である。固定ボルト３０と吊りボルト用ナット３８との間隔、言換えれば受け金具２２の上側プレート２６の貫通孔２６ａと貫通孔２６ｂとの間隔及び下側プレート２４の貫通孔２４ａとネジ孔２４ｂとの間の間隔は、受け金具２２によって異なる場合がある。同じ緩み止めプレート４０−１で異なる間隔のランナーにも対応できるようにするために、規制切欠４０ｂを長手方向に延ばして、規制切欠４０ｂに固定ボルト３０と吊りボルト用ナット３８とを結ぶ方向に遊びを設けている。この場合であっても、規制切欠４０ｂの複数の規制面４０ｃが、吊りボルト用ナット３８の六角形の輪郭と一致し、これによって吊りボルト用ナット３８を中心とする回転が阻止されるのは、図４のものと同じである。
【００２１】
図７は、本発明の緩み止めプレート４０−２の第２変形例である。この例では、位置決め孔４０ａを長孔として、位置決め孔４０ａに固定ボルト３０と吊りボルト用ナット３８とを結ぶ方向に遊びを設けている点で、図６のものと異なっているが、この場合であっても、規制切欠４０ｂの複数の規制面４０ｃが、吊りボルト用ナット３８の六角形の輪郭と一致し、これによって吊りボルト用ナット３８を中心とする回転が阻止されるのは、第１変形例の場合と同じである。
【００２２】
図８は、本発明の緩み止めプレート４０−３の第３変形例である。吊りボルト用ナット３８は、受け金具２２の吊りボルト受け２８に対して締付けた状態で、必ずしもその六角形の輪郭が図４に示したように対応する規制面４０ｃと平行になるとは限らず、吊りボルト用ナット３８を完全に締付けた状態において角度がずれる場合がある。このような場合には、吊りボルト用ナット３８の六角形の輪郭が、緩み止めプレート４０の規制面４０ｃと平行となるように、吊りボルト用ナット３８を若干締め戻すことで対応することができる。吊りボルト用ナット３８を締め戻すとしても、その回転角度はせいぜい６０度以内であるため、このような締め戻しによって吊りボルト１８が外れることはないが、図８の第３変形例では、吊りボルト用ナット３８の六角形がどのような角度配置となったとしても対応できるようにしたものであり、この例の緩み止めプレート４０−３は、第１プレート４２と第２プレート４４とから構成される。第１プレート４２には前記位置決め孔４０ａが形成され、第２プレート４４には規制切欠４０ｂが形成され、第１プレート４２と第２プレート４４は、両者を貫通する枢ピン４６によって、互いにプレート面内で回動可能に枢着される。
【００２３】
図８（ｂ）に示すように、吊りボルト用ナット３８の六角形が、図４に示したような正規の状態から角度がずれている場合には、第１プレート４２と第２プレート４４とが、互いに角度を持つようにして回動することで、第２プレート４４の規制切欠４０ｂの規制面４０ｃが、吊りボルト用ナット３８の六角形の辺と一致し、これらの辺と接触して、ボルト用ナット３８の回転を規制する。
【００２４】
図９は、本発明の緩み止めプレート４０−４の第４変形例である。この例の緩み止めプレート４０−４も、第１プレート４２と第２プレート４４とから構成される。第２プレート４４には、円弧溝４４ａが形成されており、円弧溝４４ａを枢ピン４６がスライド可能に嵌め込まれており、枢ピン４６が円弧溝４４ａを移動することにより、第２プレート４４は、第１プレート４２に対して回動可能且つ並進可能となっている。円弧溝４４ａの曲率中心は、吊りボルト１８の軸線上にくるように設定される。
【００２５】
この変形例においても、図８の第３変形例と同様の作用・効果が得られ、吊りボルト用ナット３８が正規の状態から角度がずれている場合にも、枢ピン４６が円弧溝４４ａを移動して、第１プレート４２と第２プレート４４とが、互いに角度を持つようにして回動することで、第２プレート４４の規制切欠４０ｂの規制面４０ｃが、吊りボルト用ナット３８の六角形の辺と一致し、これらの辺と接触して、吊りボルト用ナット３８の回転を規制する。円弧溝４４ａの曲率中心を吊りボルト１８の軸線上、即ち、吊りボルト用ナット３８の回転中心に一致させることで、吊りボルト用ナット３８がどのような角度配置にあっても規制面４０ｃが吊りボルト用ナット３８の輪郭と常に同じ状態で接触することができる。
【００２６】
図１０は、本発明の緩み止めプレート４０−５の第５変形例である。この例の緩み止めプレート４０−５も、第１プレート４２と第２プレート４４とから構成される。第２プレート４４には、２つの円弧溝が連結された変形Ｈ字状溝４４ａが形成されており、変形Ｈ字状溝４４ａを枢ピン４６がスライド可能に嵌め込まれており、枢ピン４６が変形Ｈ字状溝４４ａを移動することにより、第２プレート４４は、第１プレート４２に対して回動可能且つ並進可能となっている。変形Ｈ字状溝４４ａの２つの円弧溝部分の曲率中心は、吊りボルト１８の軸線上にくるように設定される。
【００２７】
この変形例においても、図９の第４変形例と同様の作用・効果が得られ、図１０（ｂ）に示すように、吊りボルト用ナット３８が正規の状態から角度がずれている場合にも、枢ピン４６が変形Ｈ字状溝４４ａの１つの円弧溝部分を移動して、第１プレート４２と第２プレート４４とが、互いに角度を持つようにして回動することで、第２プレート４４の規制切欠４０ｂの規制面４０ｃが、吊りボルト用ナット３８の六角形の辺と一致し、これらの辺と接触して、吊りボルト用ナット３８の回転を規制する。また、図１０（ｃ）及び（ｄ）に示すように、固定ボルト３０と吊りボルト用ナット３８との間隔が図１０（ａ）、（ｂ）に示すランナーと異なるものに同じ緩み止めプレート４０−５を使用する場合には、変形Ｈ字状溝４４ａの他方の円弧溝部分に枢ピン４６を移行させて、その円弧溝部分を移動させることにより、同様に、吊りボルト用ナット３８の角度のずれに対応することができる。
【００２８】
また、この例では、固定ボルト３０と吊りボルト用ナット３８との間隔が２種類ある場合に対応して、変形Ｈ字状溝としたが、これに限るものではなく、Ｈ字状を変形梯子状として、多数の種類に対応させるようにすることも可能である。
【００２９】
【発明の効果】
以上説明したように本発明によれば、吊りボルト用ナットと固定ボルトとの間に渡って緩み止め手段を設けることで、吊りボルト用ナットの回転を阻止し、よって、吊りボルトの回転を阻止して、吊りボルトと受け金具との連結が外れることを防止することができる。吊りボルト用ナットと固定ボルトとからなる既存の構造に、緩み止め手段を渡すだけでよいために、設定作業が容易にでき、コスト的にも優位に実施することができる。
【図面の簡単な説明】
【図１】本発明に係るランナー取付構造を表す要部部分断面図である。
【図２】ハンガーレールからパネル上部までを表す部分断面図である。
【図３】移動間仕切壁の斜視図である。
【図４】本発明に係るランナー取付構造を表す要部平面図である。
【図５】受け金具を表す正面図である。
【図６】本発明の緩み止めプレートの変形例を用いたランナー取付構造を表す要部平面図である。
【図７】本発明の緩み止めプレートの第２変形例を用いたランナー取付構造を表す要部平面図である。
【図８】（ａ）は本発明の緩み止めプレートの第３変形例を表す平面図、（ｂ）は吊りボルト用ナットの角度がずれた場合の緩み止めプレートの第３変形例を用いたランナー取付構造を表す要部平面図である。
【図９】（ａ）は本発明の緩み止めプレートの第４変形例を表す平面図、（ｂ）は吊りボルト用ナットの角度がずれた場合の緩み止めプレートの第４変形例を用いたランナー取付構造を表す要部平面図である。
【図１０】（ａ）〜（ｄ）は本発明の緩み止めプレートの第５変形例を用いたランナー取付構造を表す要部平面図であり、（ｂ）、（ｄ）は吊りボルト用ナットの角度がずれた場合を表す。
【符号の説明】
１０  ハンガーレール
１２  ランナー
１６  パネル
１８  吊りボルト
１８ａ  上端
１８ｂ  下端
２２  受け金具
３０  固定ボルト
３８  吊りボルト用ナット
４０  緩み止めプレート（緩み止め手段）
４０ａ  位置決め孔（位置決め部）
４０ｂ  規制切欠（規制部）
４０ｃ  規制面
【図１】
0003612277.tif 000002
【図２】
0003612277.tif 000003
【図３】
0003612277.tif 000004
【図４】
0003612277.tif 000005
【図５】
0003612277.tif 000006
【図６】
0003612277.tif 000007
【図７】
0003612277.tif 000008
【図８】
0003612277.tif 000009
【図９】
0003612277.tif 000010
【図１０】
0003612277.tif 000011